(57)【要約】  【課題】ＰＤＬデータをファクシミリ送信する場合に、画質劣化を生じることなく、送信するデータ量を減少させることができる通信端末装置を提供する。  【解決手段】受信したＰＤＬデータと宛先情報を記憶した後、ページ記述言語で記述された内容をページ順に属性毎にレイアウト情報とともに読み出す（ステップ101、102）。次に、読み出したデータの属性が文字か否かを判別し（ステップ103）、文字であった場合には、そのデータをラスタライズ処理してイメージデータを作成した後、ＭＭＲ符号化し、画像メモリにその開始位置とともに記憶する（ステップ104、105）。また、読み出したデータの属性が線画の場合は、ＪＢＩＧ圧縮符号化し、写真等のイメージの場合は、ＪＰＥＧ圧縮符号化して画像メモリに記憶し（ステップ108、110）、すべてのデータの処理が終了すると、カラーファクシミリ送信する（ステップ112）。  【選択図】図２
2005323133.tif 000002
【特許請求の範囲】
【請求項１】
ページ記述言語で表された画像データと宛先情報を含む通信データを受信する受信手段と、受信した画像データをファクシミリ形式のデータに圧縮する画像データ圧縮手段と、圧縮された画像データを前記通信データに含まれる宛先情報に応じてファクシミリ送信するファクシミリ送信手段とを備え、
上記画像データ圧縮手段が、ページ記述言語で表された画像データの属性に応じて異なる圧縮方法により画像データを圧縮することを特徴とする通信端末装置。
【請求項２】
請求項１に記載の通信端末装置において、上記画像データ圧縮手段が、ページ記述言語で表された画像データの文字部分をＭＭＲ圧縮またはＪＢＩＧ圧縮し、線画部をＪＢＩＧ圧縮または１Bit Loss less圧縮し、イメージ部をＪＰＥＧ圧縮することを特徴とする通信端末装置。
【発明の詳細な説明】
【技術分野】
【０００１】
本発明は、ファクシミリ装置等の通信端末装置、特に、外部のパーソナルコンピュータ（以下、パソコンという）等から画像データを受信し、受信した画像データを指定された宛先にファクシミリ送信する通信端末装置に関する。
【背景技術】
【０００２】
複写機能、ファクシミリ機能、プリント機能、スキャナ機能等を有する最近のデジタル複合機は、ファクシミリの送受信だけでなく、プリンタ等の他の機能と複合化されており、さらには、ＬＡＮを介して接続されたパソコンから送られてくる画像情報を他のファクシミリ装置に送信する機能も備えている。
【０００３】
このようなデジタル複合機では、他のファクシミリ装置にパソコンからの画像情報を伝送する場合、パソコンからプリンタに通常送られるページ記述言語（Page Description Language ：以下、ＰＤＬという）で表された画像情報（ＰＤＬデータ）を宛先情報とともに通信データとして受信し、受信したＰＤＬ形式の情報をラスタライズし、ファクシミリ形式の符号に圧縮変換した後、変換したイメージデータを他のファクシミリ装置へ送信している（例えば、特許文献１参照。）。
【特許文献１】特開２００３−３３３２５７号公報
【０００４】
上記のＰＤＬは、ページレイアウトソフトウェアの出力データを記述するための言語で、ページレイアウトソフトウェアの扱う文字コードによるイメージ記述・図形コードによるイメージ記述・ビットデータによるイメージ記述を組み合わせ、目的とするイメージを記述するものであり、カラー情報を含むＰＤＬデータは、ＲＧＢの色成分によりカラー情報を扱っている。
【発明の開示】
【発明が解決しようとする課題】
【０００５】
上記のように、パソコン等から受信したＰＤＬデータをファクシミリ送信する場合、ＰＤＬデータをイメージ化した画像をＭＲ（モディファイドリード）、ＭＭＲ（モディファイドモディファイドリード）等の符号化方式で圧縮符号化している。これらの符号化方式は、テキスト文書を高効率で圧縮符号化するが、中間調画像、写真等では、符号化データ量が逆にもとの画像データ量より増えてしまうという問題があった。
【０００６】
また、中間調データを高効率で圧縮するＪＢＩＧ（Joint Bi-level
Imaging Group）、ＪＰＥＧ（Joint Photographic Experts Group）等のカラー画像の圧縮方式を採用することも可能であるが、ＪＢＩＧをイメージや文字が混在した画像に適用してイメージの多値画像を圧縮すると、ＪＢＩＧは本来２値画像の圧縮方式であり、画像濃度のレベルに応じた処理が必要となるため、処理量が増大して処理スピードが遅くなり、また、ＪＰＥＧを用いて文字画像を圧縮した場合、ＪＰＥＧは本来多値画像の圧縮方式であるため、高周波成分の再現性が悪く文字のエッジがぼける等の不具合が生じる。
【０００７】
本発明は、上記の問題に鑑みてなされたもので、ＰＤＬデータをファクシミリ送信する場合に、画質劣化を生じることなく、かつ、送信するデータ量を減少させることができる通信端末装置を提供することを目的とする。
【課題を解決するための手段】
【０００８】
上述の目的を達成するため、請求項１に係る発明の通信端末装置は、ページ記述言語で表された画像データと宛先情報を含む通信データを受信する受信手段と、受信した画像データをファクシミリ形式のデータに圧縮する画像データ圧縮手段と、圧縮された画像データを前記通信データに含まれる宛先情報に応じてファクシミリ送信するファクシミリ送信手段とを備え、上記画像データ圧縮手段が、ページ記述言語で表された画像データの属性に応じて異なる圧縮方法により画像データを圧縮することを特徴とする。
【０００９】
また、請求項２に係る発明の通信端末装置は、請求項１に記載の通信端末装置において、上記画像データ圧縮手段が、ページ記述言語で表された画像データの文字部分をＭＭＲ圧縮またはＪＢＩＧ圧縮し、線画部をＪＢＩＧ圧縮または１Bit Loss less圧縮し、イメージ部をＪＰＥＧ圧縮することを特徴とする。
【発明の効果】
【００１０】
請求項１、２に係る発明の通信端末装置によれば、ＰＤＬデータをファクシミリ送信する場合に、ページ記述言語で表された画像データの文字部分が、例えば、ＭＭＲ圧縮またはＪＢＩＧ圧縮、線画部がＪＢＩＧ圧縮または１Bit Loss less圧縮、イメージ部がＪＰＥＧ圧縮というように、ページ記述言語で表された画像データの各部がその属性に応じて最適な圧縮方法で圧縮されるので、文字部や線画では解像度が優先され、写真やグラフィックス等のイメージは階調性が優先されて圧縮されるので、画質が劣化することがなく、また、通信データの増大も防止することができる。
【実施例】
【００１１】
以下、本発明の通信端末装置を一例として、コピーモード、プリンタモード、ファックスモード等を有するデジタル複合機に適用した場合の実施例について、図面を用いて説明する。
図１はデジタル複合機のハードウェア構成を示すブロック図であり、図に示すように、デジタル複合機はＣＰＵ１、ＲＯＭ（Read Only Memory）２、ＲＡＭ（Random Access Memory）３、表示・操作部４、読取部５、画像メモリ６、記録部７、コーデック８、モデム９、ネットワーク制御ユニットＮＣＵ１０、ＬＡＮインターフェース（Ｉ／Ｆ）１１及びＰＤＬデータメモリ１２から構成され、各部がバス１３を介して接続されている。
【００１２】
ＣＰＵ１はバス１３を介してデジタル複合機のハードウェア各部を制御するとともに、ＲＯＭ２に記憶されたプログラムに基づいて各種のプログラムを実行し、ＲＯＭ２はデジタル複合機の動作に必要な種々のプログラムや操作メッセージ等を予め記憶している。また、ＲＡＭ３はＳＲＡＭ等で構成され、プログラムの実行時に発生する一時的なデータを記憶するとともに、ファクシミリ送信時に送信相手先のダイヤル番号等を記憶する。
【００１３】
表示・操作部４は、デジタル複合機の動作状態を表示したり、種々の機能の操作画面の表示を行う表示部と、デジタル複合機を操作するための複数のキーよりなり、表示部を構成するＬＣＤ表示部と多数の操作キーから構成されている。読取部５はオートドキュメントフィーダー（ＡＤＦ）やフラットベッドスキャナ（ＦＢＳ）等の読取り用原稿載置台を備え、ＣＣＤを用いた原稿走査ユニットで原稿をスキャニングすることにより、Ｒ、Ｇ、Ｂの３色よりなる色成分のデジタル画像データを生成する。また、画像メモリ６は、ＤＲＡＭ等を用いて構成され、送信すべきイメージデータまたは受信したイメージデータあるいは読取部５で読み取ったイメージデータを記憶し、記録部７は電子写真方式等のプリンタ装置を備え、受信したデータ、コピー原稿データあるいは外部のパソコンから送信されたプリントデータをプリントアウトする。
【００１４】
コーデック８は送信する画像情報を一定の符号化法によりデータ圧縮する一方、受信した画像データを復号して元の情報に復元するものであり、ＭＭＲ圧縮、ＪＢＩＧ圧縮、ＪＰＥＧ圧縮等の複数種の圧縮方法でデータを圧縮することが可能である。モデム９はバス１３に接続されており、ファクシミリ通信が可能なファクスモデムとしての機能を有し、このモデム９は同様にバス１３に接続されたＮＣＵ１０と接続されている。ＮＣＵ１０はアナログ回線の閉結及び開放の動作を行うハードウェアであり、必要に応じてモデム９を公衆交換電話網（ＰＳＴＮ）１４に接続する。
【００１５】
また、ＬＡＮインターフェース１１はＬＡＮ（Local Area Network）１５に接続され、外部のパソコン１６からの信号やデータをＬＡＮ１５を介して受信する一方、ＬＡＮ１５に対して信号やデータを送信するものであり、信号変換やプロトコル変換などのインターフェース処理を実行する。また、ＰＤＬデータメモリ１２はＬＡＮ１５を介してパソコン１６から送信されたＰＤＬデータを記憶する。
【００１６】
デジタル複合機は上記のような構成を備えており、ファクシミリ送信時には、原稿の画像データが読取部５で読み取られ、コーデック８で圧縮されて画像メモリ６に蓄積される。この圧縮された画像データが画像メモリ６から読み出されてモデム９で変調され、ＮＣＵ１０からＰＳＴＮ１４を通して通信相手先に送信される。また、ファクシミリ受信時には、受信した画像データがモデム９で復調され、画像メモリ６に蓄積された後、コーデック８で復号されて記録部７により印刷される。
【００１７】
一方、このデジタル複合機はパソコン１６等からＰＤＬデータを受信して指示された送信宛先にファクシミリ送信する機能を備えており、以下、パソコン１６からＰＤＬデータを受信した場合の作用について、図２に示すフローチャートにより説明する。
パソコン１６からページ記述言語で表された画像情報（ＰＤＬデータ）を宛先情報とともに通信データとして受信すると、ＣＰＵ１は宛先情報をＲＡＭ３に記憶するとともに、ＰＤＬデータをＰＤＬデータメモリ１２に記憶する（ステップ１０１）。
【００１８】
次に、ＣＰＵ１は、ＰＤＬデータメモリ１２からページ記述言語で記述された内容をページ順に属性毎にレイアウト情報とともに読み出す（ステップ１０２）。すなわち、ＰＤＬデータは、描画コードで記述された文字と、描画コードで記述された線画と、写真等階調を有する画素を配列したイメージデータの３つの属性に区別して配列されているので、ＣＰＵ１は各ページの上部部分から順に属性毎にデータを読み出す。また、レイアウト情報には、各属性毎のデータの書き出し位置とデータの大きさが記述されている。
【００１９】
次に、ＣＰＵ１は読み出したデータの属性が文字か否かを判別する（ステップ１０３）。読み出したデータの属性が文字であった場合には、ＣＰＵ１はそのデータをラスタライズ処理してイメージデータを作成した（ステップ１０４）後、作成したイメージデータをコーデック８によりＭＭＲ符号化し、画像メモリ６にその開始位置とともに記憶する（ステップ１０５）。
次に、ＣＰＵ１はＰＤＬデータメモリ１２に記憶されているデータの全てを符号化・記憶したか否かを判別し（ステップ１１１）、データが残っている場合には、ステップ１０２に戻り次の属性のデータを読み出す。
【００２０】
一方、ステップ１０３において、読み出したデータの属性が文字でないと判別した場合には、ＣＰＵ１は読み出したデータの属性が線画か否かを判別する（ステップ１０６）。読み出したデータの属性が線画であった場合には、ＣＰＵ１はそのデータをラスタライズ処理してイメージデータを作成した（ステップ１０７）後、作成したイメージデータをコーデック８によりＪＢＩＧ圧縮符号化し、画像メモリ６にその線画データの開始位置とともに記憶する（ステップ１０８）。
【００２１】
また、ステップ１０６において、読み出したデータの属性が線画でないと判別した場合には、ＣＰＵ１は読み出したデータをラスタライズ処理してイメージデータを作成した（ステップ１０９）後、作成したイメージデータをコーデック８によりＪＰＥＧ圧縮符号化し、画像メモリ６にその写真データの開始位置とともに記憶する（ステップ１１０）。
以上により、例えば、ＰＤＬデータのある１ページが図３（ａ）に示すように、上部に文字、中段に線画、下部に写真が配置されているページであった場合には、画像メモリ６にはそのページの圧縮データとして、図３（ｂ）に示すように、文字開始位置、ＭＭＲ符号化画像、線画開始位置、ＪＢＩＧ圧縮符号化画像、写真開始位置及びＪＰＥＧ圧縮符号化画像がそのページの圧縮データとして記憶される。
【００２２】
そして、ステップ１１１において、ＰＤＬデータメモリ１２に記憶されている全てのデータについての処理が終了したと判別した場合には、ＣＰＵ１はＲＡＭ３に記憶されている送信先のＦＡＸ番号を読み出し、モデム９、ＮＣＵ１０を制御してそのＦＡＸ番号に対応したダイヤル信号をＰＳＴＮ４に送出させ、通信が確立すると、画像メモリ６から画像を読み出してモデム９で変調し、ＮＣＵ１０からＰＳＴＮ４を通して通信相手先にカラーファクシミリ送信し（ステップ１１２）、送信を完了すると、プログラムを終了する。
【００２３】
以上のように、ＰＤＬデータをファクシミリ送信する場合、ページ記述言語で表された画像データの文字部分がＭＭＲ圧縮され、線画部がＪＢＩＧ圧縮され、さらに、イメージ部がＪＰＥＧ圧縮されるので、文字部や線画では解像度が優先され、写真やグラフィックス等のイメージは階調性が優先されて圧縮されるので、画質が劣化することがなく、また、通信データが増大することもない。
【００２４】
上記の実施例では、文字部分はイメージデータ化した後ＭＭＲ圧縮したが、ＪＢＩＧ圧縮符号化して画像メモリに記憶することもでき、また、線画部はイメージデータ化した後ＪＢＩＧ圧縮したが、１Bit Loss less圧縮して画像メモリに記憶することもできる。
【００２５】
また、上記の実施例では、本発明の通信端末装置を複写機能、ファクシミリ機能、プリント機能、スキャナ機能等を有するデジタル複合機に適用した例を説明したが、本発明の通信端末装置は、通常のファクシミリ装置にも適用することが可能である。
さらに、上記の実施例では、ＰＤＬデータをカラーファクシミリ送信する例を説明したが、本発明の通信端末装置はモノクロのファクシミリ装置にも適用することができる。
【図面の簡単な説明】
【００２６】
【図１】本発明の通信端末装置を適用したデジタル複合機のハードウェア構成を示すブロック図である。
【図２】ＰＤＬデータをファクシミリ送信する場合の作用を示すフローチャートである。
【図３】ＰＤＬデータ化された画像の一例（ａ）とその画像を圧縮したデータの一例（ｂ）を示す図である。
【符号の説明】
【００２７】
１  ＣＰＵ
２  ＲＯＭ
３  ＲＡＭ
４  表示・操作部
５  読取部
６  画像メモリ
７  記録部
８  コーデック
９  モデム
１０  ＮＣＵ
１１  ＬＡＮ  Ｉ／Ｆ
１２  ＰＤＬデータメモリ
１３  バス
１４  ＰＳＴＮ
１５  ＬＡＮ
１６  パソコン
【図１】
2005323133.tif 000003
【図２】
2005323133.tif 000004
【図３】
2005323133.tif 000005